(57)【要約】      （修正有）【課題】交換レンズの装着（固着）状態でも簡単かつ確実に読み取り（認識）可能であり、既存の交換レンズにも容易に追加的に形成可能とし、更には、サービス（保守・点検・修理等）目的の為にも、カメラシステムの所定のタイプの交換レンズに形成可能な無接触的認識可能性を与えること。【解決手段】システムカメラの為の装着装置（２、２’）を備える交換レンズで、レンズケーシング（３）のカメラ側端部に、装着装置（２、２’）をカメラに載置する為のアライメントマーク（４）を備え、載置面（６）が、装着の為の回転方向（７）とは反対方向にアライメントマーク（４）に対し離隔された部位に、係合凹部（８）を有する交換レンズにおいて、載置面（６）は、係合凹部（８）に対し回転方向（７）と反対方向に離隔された１００°〜１６０°の角度範囲に、少なくとも２つの互いに対し離隔されて並置された、光学的に各別に検出可能な面領域（１０）を有する。【選択図】図１
2007193332.tif 000002
【特許請求の範囲】
【請求項１】
システムカメラのための装着装置（２、２’）を備える交換レンズであって、
レンズケーシング（３）のカメラ側の端部に、前記装着装置（２、２’）をカメラに載置するためのアライメントマーク（４）が備えられ、
前記装着装置（２、２’）の載置面（６）が、装着のための回転方向（７）とは反対方向に前記アライメントマーク（４）に対し離隔された部位に、係合凹部（８）を有するよう構成された交換レンズにおいて、
前記載置面（６）は、前記係合凹部（８）に対し前記回転方向（７）とは反対方向に離隔された１００°〜１６０°の角度範囲に、少なくとも２つの互いに対し離隔されて並置された、光学的に各別に検出可能な面領域（１０）を有すること
を特徴とする交換レンズ。
【請求項２】
前記面領域（１０）は、大きさが同一であり、かつ互いに対し同じ間隔で離隔されていること
を特徴とする請求項１に記載の交換レンズ。
【請求項３】
前記面領域（１０）は、光反射性被膜（１２）又は光吸収性被膜（１１）を有すること
を特徴とする請求項１又は２に記載の交換レンズ。
【請求項４】
前記被膜は、明るいクロム被膜（１２）又は暗いクロム被膜（１１）から構成されること
を特徴とする請求項３に記載の交換レンズ。
【請求項５】
前記被膜は、明るい塗料被膜（１２）又は暗い塗料被膜（１１）から構成されること
を特徴とする請求項３に記載の交換レンズ。
【請求項６】
光吸収性の面領域（１１）は、レーザ加工によって、化学的エッチングによって、又はサンドブラストによって形成されたものであること
を特徴とする請求項３〜５のいずれかに記載の交換レンズ。
【請求項７】
前記面領域（１０）は、凹部（１４）として前記載置面（６）に形成されること
を特徴とする請求項１又は２に記載の交換レンズ。
【請求項８】
前記凹部（１４）は、レーザ加工又はフライス加工によって形成され、光反射特性（１２）又は光吸収特性（１１）を有すること
を特徴とする請求項７に記載の交換レンズ。
【請求項９】
前記凹部（１４）の前記光吸収特性（１１）は、光吸収性塗料（１５）を施すことによって追加的に生成されること
を特徴とする請求項８に記載の交換レンズ。
【請求項１０】
前記面領域（１０）は、レンズ基本データ及び／又はレンズ個別データをコード化するために使用されていること
を特徴とする請求項１〜９の何れか一項に記載の交換レンズ。
【発明の詳細な説明】
【技術分野】
【０００１】
本発明はカメラの交換レンズに関し、特に請求項１の上位概念（前置部）の特徴を有する交換レンズに関する。即ち、本発明は、システムカメラのための装着（固着ないし係合ロック）装置を備える交換レンズであって、レンズケーシングのカメラ側の端部に、前記装着（固着）装置をカメラに載置するためのアライメントマークが備えられ、前記装着（固着）装置の載置面が、装着（固着）のための回転方向とは反対方向に前記アライメントマークに対し離隔された部位に、係合凹部を有するよう構成された交換レンズに関する。
【背景技術】
【０００２】
この種の交換レンズは、通常はバヨネット式接続（係合）装置として構成される装着（固着）装置によって、レフレックスカメラ又はレンジファインダカメラ等のシステムカメラに回転的に装着（固着）することができる。交換レンズは、オートフォーカス機構や自動絞り機構等の電気エネルギ消費装置を有することが多い。このため、バヨネット式接続装置は、一方では電気エネルギ消費装置に電流（電源）を供給するための、他方では交換レンズとカメラケーシングとの間で信号を伝達するための複数の電気接点を有する。
【０００３】
【特許文献１】ＥＰ１００６３９７Ｂ１
【特許文献２】ＤＥ３４３８３２２Ａ１
【特許文献３】ＤＥ３４４３４４３Ａ１
【発明の開示】
【発明が解決しようとする課題】
【０００４】
しばしば互いに密に並置されるこれら多数の電気接点は、その作動が妨害されやすい。例えば、交換レンズをカメラケーシングに装着（固着）する際に、互いに接続されるべきではない接点間に不所望の電気的接続が形成されることがある。このような問題を回避するために、無接触的光学的信号伝送のための光学的（オプト）カプラを使用することによって、信号伝送と電源供給とを分離する方策について記載している文献がある（上掲特許文献１参照）。この文献によれば、このようにして、交換レンズの装着（固着）の際に、交換レンズ及びカメラケーシングの信号端子と電流供給端子との間の不所望の短絡が確実に阻止されるものとしている。尤も、この措置でも、電気接点を用いているので、ダストや酸化により、交換レンズのカメラケーシングへの装着中に電気的短絡が引き起こされたり或いは適切な電気的接触が達成されなかったりするという欠点がある。なお、この文献には、オプトカプラとして、交換レンズに配された１つの発光ダイオード及び１つのフォトダイオードと、該１つの発光ダイオード及び該１つのフォトダイオードに夫々対応してカメラケーシングに配された１つのフォトダイオード及び１つの発光ダイオードが記載されており、交換レンズの発光ダイオードとカメラケーシングのフォトダイオードとの間、及びカメラケーシングの発光ダイオードと交換レンズのフォトダイオードとの間において光学的信号のやり取りが行われる。
【０００５】
システムカメラにおいて交換レンズとカメラとの間で信号データを光学的に伝達する方策について記載している文献がある（上掲特許文献２参照）。この方策では、（１つの）定義されたビームが生成される。このビームは、機械的調整量の少なくとも１つに相応してその少なくとも１つの特性が変化され、そして、当該調整量の表示及び／又はカメラ機能の制御に使用される電気信号に変換される。このために、カメラケーシングは、（１つの）定義されたビームを生成するための手段を有し、他方、交換レンズは、このビームを受け取りかつ案内し並びに該ビームをカメラケーシングに戻すための大掛かりな光学的手段をその内部に有する。交換レンズは、付加的に、上記ビームを少なくとも１つの機械的調整量に相応してその特性の少なくとも１つを変化するための手段（複数）を有する。カメラケーシングは、該調整量の表示及び／又はカメラ機能の制御に関して上記ビームのこの変化を評価するための手段（複数）を有する。このための構造は、空間的要求が大きい即ち多数の構成部材を必要とし、交換レンズ側のバヨネット載置部（接合部）は、光貫通開口部のためネガティブな（不利な）影響を受ける。既存の交換レンズを装着することは不可能であるか、或いは、可能であっても、多大なコスト（手間）を要する。
【０００６】
信号データを光学的に検出する別の装置について記載している文献もある（上掲特許文献３参照）。光学的に読み取り可能なスケーリングをバーコードの形態で撮影レンズにおいて検出するために、交換レンズの装着（固着）操作中必然的に生じるレンズフレームとカメラ本体との間の互いに対する相対運動が利用される。バーコードの検出は、装着（固着）過程の間においてのみ可能である。読み取り装置は装着（固着）過程中に常に正確に作動可能な状態でなければならないが、この（読み取り）時点は既知ではないので、スケーリングを検出する際の誤作動を十分防止することはできない。この装置においては、例えばカメラのスイッチを入れた後に、既に装着（固着）されている交換レンズのバーコードを検出することは不可能である。
【０００７】
それゆえ、本発明の課題は、交換レンズの静止ないし装着（固着）状態（Ruhezustand）でも簡単かつ確実に読み取り（認識）可能であり、既存の交換レンズにも容易に追加的に形成する（ないし組込む）ことが可能であり、更には、サービス（保守・点検・修理等）目的のためにも、カメラシステムの所定のタイプの交換レンズに形成（ないし適用）可能な、システムカメラにおける交換レンズの無接触的認識可能性を実現することである。
【課題を解決するための手段】
【０００８】
上記の課題を解決するために、本発明の一視点により、システムカメラのための装着（固着）装置を備える交換レンズであって、レンズケーシングのカメラ側の端部に、前記装着（固着）装置をカメラに載置するためのアライメントマークが備えられ、前記装着（固着）装置の載置面が、装着（固着）のための回転方向とは反対方向に前記アライメントマークに対し離隔された部位に、係合凹部を有するよう構成された交換レンズが提供される。この交換レンズにおいて、前記載置面は、前記係合凹部に対し前記回転方向とは反対方向に離隔された１００°〜１６０°、好ましくは１１０°〜１５０°の角度範囲（セグメント）に、少なくとも２つの、好ましくは６つの、互いに対し離隔されて並置された、光学的に各別に検出可能な面領域を有することを特徴とする（形態１・基本構成）。
【発明の効果】
【０００９】
本発明の独立請求項により、上記課題に対応した効果が達成される。即ち、本発明の交換レンズは、システムカメラにおいて、交換レンズの静止ないし装着（固着ないし係合ロック）状態（Ruhezustand）でも簡単かつ確実に読み取り（認識）可能であり、既存の交換レンズにも容易に追加的に形成する（ないし組込む）ことが可能であり、更には、サービス（保守・点検・修理等）目的のためにも、カメラシステムの所定のタイプの交換レンズに形成（割当て）可能な無接触的認識可能性を有する。
更に、各従属請求項により、付加的な効果が夫々達成される。
【発明を実施するための最良の形態】
【００１０】
以下に、本発明の好ましい実施の形態を示すが、これらは形態１を除き従属請求項の対象でもある。
（形態１）  上掲基本構成参照。
（形態２）  上記形態１の交換レンズにおいて、前記面領域は、大きさが同一であり、かつ互いに対し同じ間隔（ないしピッチ）で離隔されていることが好ましい。
（形態３）  上記形態１又は２の交換レンズにおいて、前記面領域は、光反射性被膜又は光吸収性被膜を有することが好ましい。
（形態４）  上記形態３の交換レンズにおいて、前記被膜は、明るいクロム被膜（hellen Chromauflage）又は暗いクロム被膜（dunklen Chromauflage）から構成されることが好ましい。
（形態５）  上記形態３の交換レンズにおいて、前記被膜は、明るい塗料被膜（hellen Lackschicht）又は暗い塗料被膜（dunklen Lackschicht）から構成されることが好ましい。
（形態６）  上記形態３〜５のいずれかの交換レンズにおいて、光吸収性の面領域は、レーザ加工による加熱処理によって、化学的エッチングによって、又はサンドブラスト（ないし研磨粒子吹き付け）によって形成されることが好ましい。
（形態７）  上記形態１又は２の交換レンズにおいて、前記面領域は、凹部として前記載置面に形成されることが好ましい。
（形態８）  上記形態７の交換レンズにおいて、前記凹部は、レーザ加工又はフライス加工によって形成され、光反射特性又は光吸収特性を有することが好ましい。
（形態９）  上記形態８の交換レンズにおいて、前記凹部の前記光吸収特性は、光吸収性ラッカーを施すことによって追加的（事後的）に生成されることが好ましい。
（形態１０）  上記形態１〜９の交換レンズにおいて、前記固着装置の前記載置面の前記面領域は、焦点距離及び口径比等のレンズ基本データ、及び／又は補正値（Korrekturwerten）等のレンズ個別データをコード化（符号化）するために使用されていることが好ましい。
【００１１】
交換レンズは、システムカメラに固定するために、アライメント（ないし位置決め）マーク（Orientierungsmarkierung）を利用して、カメラに対し回転的に調心して取り付けられ、その装着（固着）装置の載置面がカメラのバヨネット受け部に載置される。回転運動によって交換レンズはカメラに装着（固着）されるが、その際、カメラのバヨネット受け部の係合ロック部は交換レンズの係合凹部に嵌り込んで係合する。このようにして、カメラのバヨネット受け部に対するカメラシステムの任意の交換レンズの再現可能な回転的調心位置決めが保証される。通常は、交換レンズの装着（固着）装置は、載置面の周囲に多少程度において幅はあるものの規則的に配置される多数の（複数の）固定ネジによってレンズ鏡筒に固定される。尤も、係合凹部に関しては、固定ネジ（複数）は、構造上の制限から、異なるタイプの交換レンズでは載置面の周（ないし周囲）の異なる位置に存在し、載置面の均質性（一様性：Homogenitaet）を阻害し得る。既存の交換レンズへの後付け（追加的（事後的）形成（組み込み））ないし既存の交換レンズのアップグレード（性能向上）の可能性の観点から及び可及的に大きな互換性（ないし適合性）を保証するために、装着（固着）装置の載置面に、装着（固着）運動の回転方向とは反対方向に係合凹部に対して離隔された１００°〜１６０°の角度範囲（セグメント）に、光学的に各別に検出可能な面領域（複数）を備えることがとりわけ有利であることが判明した。とりわけ有利な一形態では、省スペース性及びとりわけ確実性（信頼性）の大きい検出可能性の観点から、２〜６個のこのような面領域が１１０°〜１５０°のより狭い角度範囲（セグメント）の領域に並置されるよう構成される。このため、光学的に各別に検出可能な複数の面領域は、交換レンズのタイプが異なっていても、常に、（２つの）固定ネジの間に存在し、カメラバヨネットに対しては、係合ロック部に関し常に同じ角度領域に位置する。このようにして、カメラ側の読み取り装置に対する面領域（複数）の簡単かつ確実な割付け（対応付けないし関連付け：Zuordnung）を達成することができる。
【００１２】
有利には、面領域（複数）は互いに大きさが同一であり、互いに対し同じ寸法ないし間隔で離隔されて配置される。
【００１３】
面領域（複数）のとりわけ簡単でかつ確実に検出可能な形態は、これら面領域に光反射性又は光吸収性の被膜が形成される。このようにして、２進符号化が可能となり、検出のために、価格的にも有利にかつ簡単に構成可能な反射型光検出機構を利用することができる。明るいクロム層（被膜）又は暗いクロム層（被膜）によって面領域（複数）を被覆することにより、とりわけ良好な検出可能性が達成され、装着（固着）過程及び取外過程の回動（ねじ込み・ねじり外し）際の機械的負荷にも良好に状態を維持する（耐久性が大きい）。
【００１４】
とりわけ簡単な形態では、既存の交換レンズに対し、検出可能な面領域（複数）を、明るい塗料層（被膜）又は暗い塗料層（被膜）の形態で後から（追加的ないし事後的に）形成することができる。
【００１５】
装着（固着）装置の載置面が既にして明るく従って光反射性であるような既存の交換レンズの場合、光吸収性の面領域（複数）は、レーザ加工によるグラヴュール加工（ないし粗面形成）によって、化学的エッチングによって又はサンドブラスト（粒子吹き付け）によって、同様に簡単に形成することができる。この場合、（既存の交換レンズの通常の）装着（固着）装置を（本発明に応じて形成された）コーディング（２進符号化）を有する装着（固着）装置に交換することは不要である。このようにして、既存の交換レンズへの後付け（追加的（事後的）形成（組み込み））ないし既存の交換レンズのアップグレードが、とりわけ価格的にも有利に実現することができる。
【００１６】
極めて多様なタイプの既存の交換レンズへの後付け（追加的（事後的）形成（組み付け））ないし既存の交換レンズのアップグレードの際の取り扱いのフレキシビリティ（自由度）を高めるために、装着（固着）装置は、単独（単体）で（単品として）構成ないし製造することができる。光学的に各別に検出可能な複数の面領域の形成のフレキシビリティ（自由度）を高めるために、これらの面領域は載置面における凹部として形成される。レーザ加工又はフライス加工によって凹部を形成することは、検出されるべき面領域の表面の一様な構造を保証するために、とりわけ有利であることが判明している。主として黄銅（真鍮）から製造される装着（固着）装置を保護するために最終作業工程で施与される明るいクロム層は、有利には、光反射特性のために利用することができる。この場合、とりわけ簡単な形態では、光吸収特性は、光吸収性塗料層を施与することによって生成することができる。この場合、光反射特性又は光吸収特性は、凹部（特にその底面）に施与されているので、交換レンズをカメラのバヨネット受け部に着脱する際の（機械的）負荷が大きくても確実に維持（保証）される。
【００１７】
本発明の更なる利点は、装着（固着）装置の載置面にある面領域（複数）が、例えば焦点距離及び口径比等の交換レンズ基本データの符号化に使用可能であることである。尤も、例えばサービス（保守・点検・修理等）目的のための補正値等の、任意の交換レンズの夫々に割り当てられた（帰属する）個別のデータを符号化することも同様に可能である。
【実施例】
【００１８】
以下に、本発明の実施例を図面を用いて詳細に説明する。なお、以下の実施例は、発明の理解の容易化のためのものであり、本発明の技術的思想を逸脱しない範囲において当業者により実施可能な付加・置換等の適用を排除することは意図していない。また、特許請求の範囲に付した図面参照符号も発明の理解の容易化のためのものであり、本発明を図示の態様に限定することは意図していない。これらの点に関しては、補正・訂正後においても同様である。
【００１９】
図１に斜視図で示した交換レンズ１は、バヨネット受け部を有するシステムカメラ（不図示）のための装着（固着）装置（アタッチメント部）２を有し、更に、そのレンズケーシング３のカメラ側端部にアライメント（位置決め）マーク４を有する。このアライメントマーク４は、装着（固着）装置２をシステムカメラの適切な回転（角度）位置に載置するために、システムカメラのまさにそのような対応するマークに重ね合わせられる。交換レンズ１を載置する際、装着（固着）装置２に形成された４つのバヨネット爪部５は、装着（固着）装置２の載置面６がバヨネット受け部に当接するまで、システムカメラのバヨネット受け部の対応する（４つの）切欠部（係合受け凹所）に夫々嵌め込まれる。次いで、システムカメラのバヨネット受け部の係合装置が装着（固着）装置２の係合凹部８に係合するまで、図１に矢印７で示した方向に交換レンズ１を回転することにより、固着（装着）が行われる。係合凹部８は、（図１に矢印７で示した）回転方向とは反対方向にアライメントマーク４から離隔された装着（固着）装置２の載置面（ないし当接端面）６に形成される。載置面６には、回転方向７と反対方向に係合凹部８から更に離隔された２つの固定ネジ９の間に（即ち、ほぼ直径方向に対向する側に）、互いに分離されて並置された６つの面領域１０が形成されている。光吸収性の２つの面領域１１は黒色で（黒色で塗潰されて）図示されており、光反射性の４つの面領域１２は明るく（白抜きで）図示されている。面領域１０は、有利には１１０°〜１５０°の角度セグメントで係合凹部８から離隔されて形成されている。面領域１０は、互いに大きさが同一（略矩形）であり、互いに対し同じ寸法で離隔されて配置されている。なお、各面領域の形状は、さらに細くして線条形とすることも、角をさらに丸めて楕円ないし長円状にすることもでき、或いは円形であってもよい。要するに、各面領域は必要な情報量（指標）のコード化に十分なビット数を与えるよう選択・配置される。
【００２０】
図２は、交換レンズにまだ固定されておらずかつ交換のために備えられる装着（固着）装置２’の平面図である。この平面図には、図示右側に向かって開口する係合凹部８が載置面６に形成されていることが明確に示されている。２つのネジ孔部１３の間には、複数の検出可能な面領域１０が形成されている。これらの面領域１０は、夫々、個々のコーディング（ないし符号）を形成するために用意され、凹部（図３参照。）として形成されている。（２つの）ネジ孔部１３の間に位置しかつ（複数の）面領域１０の形成に使用可能な角度セグメントは、凡そ１００°〜凡そ１６０°である。後付け（追加的（事後的）形成（組み込み））ないしアップグレードに関し考慮の対象となる交換レンズをシステマチックに（系統的に）検査することにより、とりわけこの（角度）領域は、固定手段による中断ないし妨害を受けない場所であることが判明している。
【００２１】
図３は、図２に示した装着（固着）装置２’の面領域１０の１つにおける１つの凹部１４に関する矢視Ａ−Ａ断面を示す。この凹部１４は、載置面６との関係（ないし縮尺）において模式的に示されており、実際にはもちろんより平坦に形成することができる。
【００２２】
図４は、個々のコーディング（ないし符号）を形成する手段のための例として、黒色で図示された光吸収性の塗料（ないし合成樹脂）１５が施与された、図３に矢視Ａ−Ａ断面として示された装着（固着）装置２’の凹部１４を示す。塗料１５は、その縁部領域においては、載置面６の高さまで到達しているが、摩耗に対して良好に保護されるよう凹部１４に埋め込まれている。
【００２３】
図３、４の断面図からも判るように、各面領域への非接触の光学的検出可能性は、各面領域１０が載置面（ないし当接端面）６から後退して存在し、載置面の対向側（図示では上方）から光学的にアクセス（読取）可能性とされることにより確保される。
【図面の簡単な説明】
【００２４】
【図１】装着（固着）装置を備える交換レンズの一例の斜視図。
【図２】装着（固着）装置の一例の平面図。
【図３】光学的に検出可能な面領域の一例の断面図。
【図４】光吸収性塗料層を備える面領域の一例の断面図。
【符号の説明】
【００２５】
１        交換レンズ
２、２’  装着（固着）装置
３        交換レンズケーシング
４        アライメントマーク
５        バヨネット係合爪
６        載置面（当接面）
７        回転方向
８        係合凹部
９        固定ネジ
１０      検出可能な面領域
１１      光吸収性面領域
１２      光反射性面領域
１３      ネジ孔部
１４      凹部
１５      黒色の塗料層
【図１】
2007193332.tif 000003
【図２】
2007193332.tif 000004
【図３】
2007193332.tif 000005
【図４】
2007193332.tif 000006